(57)【要約】【課題】情報コンテンツのリンクをより簡易に行うことができる電子計算機を提供する。【解決手段】特定情報と当該特定情報に関連する関連情報とを互いに関連付けて記憶する記憶手段と、第一の情報コンテンツ中に当該特定情報が含まれる場合には、当該第一の情報コンテンツの特定情報に関連する関連情報を付加することにより第二の情報コンテンツを生成する処理手段とを備える電子計算機。【選択図】　　図１
2004021839.tif 000002
【特許請求の範囲】
【請求項１】
特定情報と当該特定情報に関連する関連情報とを互いに関連付けて記憶する記憶手段と、
第一の情報コンテンツ中に当該特定情報が含まれる場合には、当該第一の情報コンテンツの特定情報に関連する関連情報を付加することにより第二の情報コンテンツを生成する処理手段とを備える電子計算機。
【請求項２】
前記記憶手段は、前記特定情報と関連情報との間に仲介語句を介在させることにより、
当該特定情報と当該仲介語句とを関連付けて記憶し、かつ、当該仲介語句と当該関連情報とを関連付けて記憶する請求項１に記載の電子計算機。
【請求項３】
前記第一及び第二の情報コンテンツは文字情報、数値情報、又は画像情報を含み、かつ、前記特定情報は特定の語句、特定の数字、特定の日時、画像中の特定の座標、又は特定の記号である請求項１又は２に記載の電子計算機。
【請求項４】
前記第二の情報コンテンツはウェブコンテンツであり、かつ、前記関連情報はリンク情報又はウェブアプリケーションである請求項１〜３のいずれかに記載の電子計算機。
【請求項５】
前記リンク情報は、他のウェブコンテンツのユニフォームリソースアイデンティファイアー（ＵＲＩ）である請求項４に記載の電子計算機。
【請求項６】
前記記憶手段は、前記第一の情報コンテンツを記憶する請求項１〜５のいずれかに記載の電子計算機。
【請求項７】
前記記憶手段は、前記第一の情報コンテンツと当該第一の情報コンテンツ中の部分コンテンツを指定する指定情報とを記憶し、かつ、
前記処理手段は、当該指定情報に基き当該部分コンテンツ中に前記特定情報が含まれる場合には、当該部分コンテンツの当該特定情報に関連する関連情報を付加することにより第二の情報コンテンツを生成する請求項１〜６のいずれかに記載の電子計算機。
【請求項８】
情報通信ネットワークを介してクライアント端末から特定の情報コンテンツの配信要求を受信する受信手段と、
当該情報通信ネットワークを介してクライアント端末に対して前記第二の情報コンテンツを配信する送信手段とを備え、かつ、
前記処理手段は、当該配信要求に基づいて前記第二の情報コンテンツを生成する請求項１〜７のいずれかに記載の電子計算機。
【請求項９】
情報通信ネットワークを介してクライアント端末から第一の情報コンテンツの編集要求を受信する受信手段と、
当該編集要求に基いて前記第一の情報コンテンツを編集する編集手段とを備える請求項１〜８のいずれかに記載の電子計算機。
【請求項１０】
前記記憶手段はユーザレベル基準を記憶しており、かつ、
情報通信ネットワークを介してクライアント端末から第一の情報コンテンツの編集要求と当該クライアント端末ユーザのユーザレベルとを受信する受信手段と、
当該ユーザレベルがユーザレベル基準を満たす場合には当該編集要求に基いて前記第一の情報コンテンツを編集する編集手段とを備える請求項１〜９のいずれかに記載の電子計算機。
【請求項１１】
前記記憶手段は単一又は複数の特定情報に対し単一又は複数の関連情報を記憶していると共に、当該特定情報に関連付ける関連情報を選択する選択基準を記憶しており、かつ、
前記処理手段は当該選択基準に基いて選択的に関連情報を付加することにより第二の情報コンテンツを生成する請求項１〜１０のいずれかに記載の電子計算機。
【請求項１２】
前記記憶手段は単一又は複数の特定情報に対し単一又は複数の関連情報と当該関連情報に対する日時基準とを記憶しており、かつ、
前記処理手段は当該日時基準と現在日時とに基いて選択的に関連情報を付加して第二の情報コンテンツを生成する請求項１〜１１のいずれかに記載の電子計算機。
【請求項１３】
情報通信ネットワークを介してクライアント端末から特定の情報コンテンツの配信要求と当該クライアント端末ユーザのユーザレベルとを受信する受信手段を備え、かつ、
前記記憶手段は一の特定情報に対し単一又は複数の関連情報と当該関連情報に対するユーザレベル基準とを記憶しており、かつ、
前記処理手段は当該ユーザレベル基準と当該ユーザレベルとに基いて選択的に関連情報を付加することにより第二の情報コンテンツを生成する請求項１〜１２のいずれかに記載の電子計算機。
【発明の詳細な説明】
【０００１】
【発明の属する技術分野】
本発明は、情報コンテンツのリンク技術に関する。
【０００２】
【従来の技術】
従来から、インタネット上のウェブページなどはマークアップ言語などにより記述され、文章中の特定の語句にユニフォームリソースアイデンティファイアー（ＵＲＩ）と呼ばれるリンク情報を埋め込み、ウェブブラウザを用いて閲覧するユーザがその特定の語句をクリックすることで順次リンク情報を辿っていけるように構成されている。
【０００３】
図１０は、クライアント側コンピュータと（ウェブ）サーバ側コンピュータとの間でインタネットを介しての情報通信が行われる様子を説明するものである。サーバ側コンピュータは、予め情報コンテンツとしてＨＴＭＬファイルを記憶しており、そのＨＴＭＬファイル（１）にはキーワードＫＷと、そのキーワードＫＷに関連するリンク先を示すＵＲＩが記述されている。
【０００４】
まずクライアントからを要求（１）を受けて、サーバはＨＴＭＬファイル（１）をクライアントへ配信（１）する。このＨＴＭＬファイル（１）をクライアントのウェブブラウザで閲覧すると、ページ（１）のように表示される。このページ（１）中には、キーワードＫＷが含まれており、そのキーワードＫＷはリンクされているため特別色で表示される（図中では波線で示す）。このキーワードをクライアント側コンピュータのユーザがポインタでクリックすると、クライアントからサーバへ新たな要求（２）が送信され、キーワードＫＷに埋め込まれたＵＲＩが指定する新たなＨＴＭＬファイル（ｎ）がサーバからクライアントへ配信（２）される。このＨＴＭＬファイル（ｎ）をクライアントのウェブブラウザで閲覧すると、ページ（ｎ）のように表示され、このページ（ｎ）は先のキーワードＫＷに関連する詳細な記述などが存在する。
【０００５】
このようにリンクを順次辿っていくことで、次々と関連する情報コンテンツをウェブブラウザ上に表示させることができる。
【０００６】
【発明が解決しようとする課題】
しかし、このようにＨＴＭＬファイルそのものにリンク情報（ＵＲＩ）が記述されている場合には、リンク先を変更する際に、ＨＴＭＬファイルそのものを編集しなければならず煩雑である。特に、曜日や時間などにより頻繁にリンク先を変更する場合等にはその管理が困難となる。また、新たにＨＴＭＬファイルを作成する場合にも、それぞれリンク情報を記述する必要があり煩雑である。
【０００７】
本発明は、このような技術的な課題に鑑みてなされたものであり、その目的は、情報コンテンツのリンク管理をより簡易に行うことができる電子計算機を提供することにある。
【０００８】
【課題を解決するための手段】
すなわち本発明は、図１に示すように、特定情報と当該特定情報に関連する関連情報とを互いに関連付けて記憶する記憶手段と、第一の情報コンテンツ中に当該特定情報が含まれる場合には、当該第一の情報コンテンツの特定情報に関連する関連情報を付加することにより第二の情報コンテンツを生成する処理手段とを備える電子計算機である。このように第一の情報コンテンツと関連情報とを分離することで、情報コンテンツのリンク管理を柔軟かつ簡易に行うことができる。ここで、特定情報と関連情報の関連付けの態様としては、図２にそれぞれ示すように、特定情報と関連情報とを直接的に関連付けることができる（図２（ａ１）〜（ａ３）参照）。
【０００９】
また、図３に示すように、前記記憶手段は、前記特定情報と関連情報との間に仲介語句を介在させることにより、当該特定情報と当該仲介語句とを関連付けて記憶し、かつ、当該仲介語句と当該関連情報とを関連付けて記憶することもできる。その結果として特定情報と関連情報とを間接的に関連付けることができる（図４（ｂ１）〜（ｂ４）参照）。このように、特定情報と関連情報とを間接的に関連付けることで、情報コンテンツのリンク管理をより柔軟かつ簡易に行うことができる。
【００１０】
また、特定情報と関連情報との関係は、１：１の関係でもよいし（図２（ａ１）、図４（ｂ１）参照）、１：ｎ（ｎは２以上の自然数）の関係でもよいし（図２（ａ２）、図４（ｂ２）参照）、ｍ（ｍは２以上の自然数）：１の関係でもよいし（図２（ａ３）、図４（ｂ３）参照）、ｍ：ｎの関係でもでもよい（図４（ｂ４）参照）。
【００１１】
また、前記第一及び第二の情報コンテンツは文字情報、数値情報、又は画像情報を含み、前記特定情報は特定の語句、特定の数値（例えば、特定の数字、特定の日時、特定の座標）、特定の記号であるものでもよい。また、前記第一の情報コンテンツはウェブコンテンツ又はデータベースでもよい。また、前記第二の情報コンテンツはウェブコンテンツであり、前記関連情報はリンク情報又はウェブアプリケーション（カモンゲートウェイインタフェイス（ＣＧＩ）プログラムを含む）でもよい。さらに、前記リンク情報は、他のウェブコンテンツのユニフォームリソースアイデンティファイアー（ＵＲＩ）でもよい。なお、ウェブコンテンツとはウェブブラウザで閲覧・視聴可能な文字情報、静止画像情報、動画像情報、音声情報などを含むものである。
【００１２】
また、第一の情報コンテンツは、予め前記記憶手段に記憶されているものでもよいし、情報通信ネットワークを介して（他の電子計算機から）送信されるものでもよい。情報通信ネットワークとしては、インタネット、イントラネット、エクストラネットなど、物理的なネットワークの他、ある電子計算機内においてソフトウェアにより実現される仮想的なネットワークも含まれる。
【００１３】
また、前記記憶手段は、前記第一の情報コンテンツと当該第一の情報コンテンツ中の部分コンテンツを指定する指定情報とを記憶し、かつ、前記処理手段は、当該指定情報に基き当該部分コンテンツ中に当該特定情報が含まれる場合には、当該部分コンテンツの特定情報に関連する関連情報を付加することにより第二の情報コンテンツを生成するものでもよい。反対に、前記記憶手段は、前記第一の情報コンテンツと当該第一の情報コンテンツの部分コンテンツを指定する指定情報とを記憶し、かつ、前記処理手段は、当該第一の情報コンテンツから当該指定情報に基き当該部分コンテンツを除外した部分に対して特定情報に関連する関連情報を付加することにより第二の情報コンテンツを生成するものでもよい。
【００１４】
また、情報通信ネットワークを介してクライアント端末から特定の情報コンテンツの配信要求を受信する受信手段と、当該情報通信ネットワークを介してクライアント端末に対して前記第二の情報コンテンツを配信する送信手段とを備え、かつ、前記処理手段は、当該配信要求に基づいて前記第二の情報コンテンツを生成するものでもよい。
【００１５】
また、情報通信ネットワークを介してクライアント端末から第一の情報コンテンツの編集要求を受信する受信手段と、当該編集要求に基いて前記第一の情報コンテンツを編集する編集手段とを備えるものでもよい。さらに、前記記憶手段はユーザレベル基準を記憶しており、かつ、情報通信ネットワークを介してクライアント端末から第一の情報コンテンツの編集要求と当該クライアント端末ユーザのユーザレベルとを受信する受信手段と、当該ユーザレベルがユーザレベル基準を満たす場合には当該編集要求に基いて前記第一の情報コンテンツを編集する編集手段とを備えるものでもよい。
【００１６】
また、前記記憶手段は単一又は複数の特定情報に対し単一又は複数の関連情報を記憶しているとともに、当該特定情報に関連付ける当該関連情報を選択する選択基準を記憶しており、かつ、前記処理手段は当該選択基準に基いて選択的に関連情報を付加することにより第二の情報コンテンツを生成するものでもよい。より具体的には、前記処理手段は当該選択基準に基いて付加する関連情報を取捨選択することにより第二の情報コンテンツを生成するものでもよいし、あるいは、前記処理手段は当該選択基準に基いて付加する関連情報の配列順番を選択することにより第二の情報コンテンツを生成するものでもよい。
【００１７】
さらに選択基準が日時基準である場合の態様として、前記記憶手段は単一又は複数の特定情報に対し単一又は複数の関連情報と当該関連情報に対する日時基準とを記憶しており、かつ、前記処理手段は当該日時基準と現在日時とに基いて選択的に関連情報を付加することにより第二の情報コンテンツを生成するものでもよい。選択基準がユーザレベル基準である場合の態様として、情報通信ネットワークを介してクライアント端末から特定の情報コンテンツの配信要求と当該クライアント端末ユーザのユーザレベルとを受信する受信手段を備え、かつ、前記記憶手段は単一又は複数の特定情報に対し単一又は複数の関連情報と当該関連情報に対するユーザレベル基準とを記憶しており、かつ、前記処理手段は当該ユーザレベル基準と当該ユーザレベルとに基いて選択的に関連情報を付加することにより第二の情報コンテンツを生成するものでもよい。
【００１８】
なお、これら何れも電子計算機として本発明をとらえているが、これに限らず、▲１▼電子計算機をこれらの手段として機能させるためのプログラムを記憶した電子計算機による読取可能な記憶媒体、▲２▼電子計算機をこれらの手段として機能させるためのプログラム、▲３▼これらの電子計算機をサーバとする情報サーバ、▲４▼これらの電子計算機をサーバとする情報サーバと、当該情報サーバと情報通信ネットワークを介して通信可能なクライアント端末とを備えるクライアントサーバ情報提供システムなどとして発明を捉えることもできる。
【００１９】
【発明の実施による形態】
実施形態
図５は、本発明の一実施形態に係るクライアントサーバ情報提供システムを説明するための概念図である。同図に示すように、クライアント端末としてのパーソナルデジタルアシスタンス２（１）、パーソナルコンピュータ２（２）、携帯電話２（３）と、サーバコンピュータ（電子計算機）１とが互いにインタネット（情報通信ネットワーク）３により接続され情報通信が行われる。
【００２０】
なお、クライアント端末としては情報通信機能を備えた家庭用電話機、テレビなどの家庭電化製品、カーナビゲーションシステムなどであってもよい。また、インタネット３の外にイントラネット、エクストラネットで接続されるクライアントサーバ情報提供システムでもよいし、あるコンピュータ内のソフトウェアにより実現される仮想的なクライアントサーバ情報提供システムでもよい。さらには通信プロトコルとしてＴＣＰ／ＩＰ以外のものを使用するクライアントサーバ情報提供システムでもよい。また、クライアント端末２（１）〜（３）、サーバコンピュータ１はいずれも、演算装置、制御装置、記憶装置（ランダムアクセスメモリ、ハードディスクを含む）、通信制御装置を含めた入出力装置などのハードウェア構成とこれらのハードウェアの基本的な動作を制御するオペレーティングシステム、そのオペレーティングシステム上で動作するアプリケーションソフトウェアなどのソフトウェア構成とを備えるものである。
【００２１】
図６は図５に示したクライアントサーバ情報提供システムの基本的な構成及び基本的な動作を模式的に説明するものである。この図では、クライアント端末２をパーソナルコンピュータで示している。なお、このパーソナルコンピュータ２には、アプリケーションソフトウェアとしてウェブブラウザがインストールされている。一方、サーバコンピュータ１は多層（三層）構造を採用しており、ウェブサーバ（電子計算機、受信手段、送信手段）１ｃ、関連付けサーバ（電子計算機、処理手段、記憶手段）１ａ、コンテンツサーバ（電子計算機、記憶手段、編集手段）１ｂから構成されている。
【００２２】
そして、パーソナルコンピュータ２からの要求（１）（配信要求）をウェブサーバ１ｃが受信すると、コンテンツサーバ１ｂから関連付けサーバ１ａへとプレーン情報コンテンツ（第一の情報コンテンツ）４が送信される。このプレーン情報コンテンツ４はウェブコンテンツ又はデータベース中のデータであり、特定の文字列であるキーワード（特定情報）ＫＷが含まれているが、そのキーワードに対するリンク情報ＵＲＩは含まれていない。したがって、仮に、このプレーン情報コンテンツ４をパーソナルコンピュータ２のウェブブラウザで閲覧すると、キーワードＫＷはリンクされておらず、特別色（例えば、青色）で表示されない（図中点線吹き出し参照）。
【００２３】
プレーン情報コンテンツ４を受信した関連付けサーバ１ａは、当該キーワードＫＷに対して当該キーワードＫＷに関連するリンク情報ＵＲＩを付加し、関連付け済み情報コンテンツ（第二の情報コンテンツ）６を生成する。そしてウェブサーバ１ｃへと送信する。関連付け済み情報コンテンツ６を受信したウェブサーバ１ｃは、その関連付け済み情報コンテンツ６をパーソナルコンピュータ２へ配信（１）する。
【００２４】
この関連付け済み情報コンテンツ６をパーソナルコンピュータ２のウェブブラウザで閲覧すると、図中実線吹き出しで示すように、文字情報Ｔと静止画像情報Ｐとが表示され、文字情報Ｔ中にはキーワードＫＷが含まれており、そのキーワードＫＷはリンクされているため特別色（例えば、青色）で表示される（図中では波線で示す）。この特別色で表示されるキーワードＫＷをパーソナルコンピュータ２のユーザがポインタでクリックすると、パーソナルコンピュータ２からウェブサーバ１ｃへ新たな要求（２）が送信され、キーワードＫＷに埋め込まれたＵＲＩが指定するプレーン情報コンテンツ４にリンク情報ＵＲＩが付加された新たな関連付け済み情報コンテンツ６が同様にしてウェブサーバ１ｃからパーソナルコンピュータ２へ配信（２）される。
【００２５】
図７は、関連付け済み情報コンテンツ６を連続的に配信する態様、すなわち、リンク先のウェブコンテンツが新たなプレーン情報コンテンツとなる態様を説明するものである。パーソナルコンピュータ２からの要求（ｉ）により、コンテンツサーバ１ｂから関連付けサーバ１ａへプレーン情報コンテンツ４（ｉ）が送信され、リンク情報ＵＲＩ（ｉ）が付加されて関連付け済み情報コンテンツ６（ｉ）がパーソナルコンピュータ２へ配信（ｉ）される。この関連付け済み情報コンテンツ６（ｉ）をパーソナルコンピュータ２のウェブブラウザで閲覧し、その特別色で表示されるキーワードＫＷをポインタでクリックすると、そのキーワードＫＷに埋め込まれたリンク情報ＵＲＩが指定するウェブコンテンツの配信を要求する。
【００２６】
ここで、このリンク情報ＵＲＩが指定するウェブコンテンツは、コンテンツサーバ１ｂが記憶しているウェブコンテンツであるため、同様に、パーソナルコンピュータ２からの要求（ｉ＋１）により、コンテンツサーバ１ｂから関連付けサーバ１ａへプレーン情報コンテンツ４（ｉ＋１）が送信され、リンク情報ＵＲＩ（ｉ＋１）が付加されて関連付け済み情報コンテンツ６（ｉ＋１）がパーソナルコンピュータ２へ配信（ｉ＋１）される。この関連付け済み情報コンテンツ６（ｉ＋１）をパーソナルコンピュータ２のウェブブラウザで閲覧し、その特別色で表示されるキーワードＫＷをポインタでクリックすると、そのキーワードＫＷに埋め込まれたリンク情報ＵＲＩが指定するウェブコンテンツの配信を要求する。
【００２７】
今度は、このリンク情報ＵＲＩが指定するウェブコンテンツが、コンテンツサーバ１ｂが記憶しているウェブコンテンツではなく、第三者の管理する外部コンテンツサーバ１ｄが記憶しているウェブコンテンツの場合である。この場合、外部コンテンツサーバ１ｄからパーソナルコンピュータ２へ直接的にウェブコンテンツを配信させるのではなく、外部コンテンツサーバ１ｄから送信されるプレーン情報コンテンツ４（ｉ＋２）は、関連付けサーバ１ａに送信され、そこでリンク情報ＵＲＩ（ｉ＋２）が付加される。そして、関連付け済み情報コンテンツ６（ｉ＋２）はパーソナルコンピュータ２へ配信（ｉ＋２）される。このようにリンクを順次辿っていくことで、自己の管理するウェブコンテンツであるか、第三者の管理するウェブコンテンツであるかの別を問わず、次々と関連する関連付け済み情報コンテンツ６をウェブブラウザ上に表示させることができる。
【００２８】
図８は、関連付けサーバ１ａとコンテンツサーバ１ｂとの記憶内容を説明するものである。図８（ａ）は関連付けサーバ１ａのハードディスク（記憶手段）１０ａの内容を模式的に示したものであり、図８（ｂ）はコンテンツサーバ１ｂのハードディスク（記憶手段）１０ｂの内容を模式的に示したものである。
【００２９】
まず関連付けサーバ１ａのハードディスク１０ａには、複数の関連付け情報５（１）〜（ｎ）が記憶されている。各関連付け情報５には、各関連付け情報５を識別するナビゲータワードＮＷ（仲介語句）と、キーワードＫＷと、リンク情報ＵＲＩと、場合によっては日付基準（日時基準）ＤＳ、同じく場合によってはユーザレベル基準ＬＳとが含まれる。本実施態様では、一のナビゲータワードＮＷに対して単一のキーワードＫＷが関連付けられ、一のナビゲータワードＮＷに対して単一又は複数のリンク情報ＵＲＩが関連付けられる。また、場合によっては一のリンク情報ＵＲＩに対して単一の日付基準ＤＳ、単一のユーザレベル基準ＬＳとが含まれる。
【００３０】
次にコンテンツサーバ１ｂのハードディスク１０ｂには、複数のプレーン情報コンテンツ４（１）〜（ｍ）が記憶されている。各プレーン情報コンテンツ４には、（単一又は複数の）キーワードＫＷが含まれる場合もあるし、全くキーワードが含まれない場合もある。またプレーン情報コンテンツ４には、場合によって当該プレーン情報コンテンツ４の部分コンテンツ（図中点線四角参照）を指定する指定情報ＴＡが含まれる。なお、一定のユーザレベル基準を超えるユーザからのアクセスにより、プレーン情報コンテンツ４（ｍ＋１）をハードディスク１０ｂに追加することができる。
【００３１】
ここで、パーソナルコンピュータ２からの要求（ｉ）により、コンテンツサーバ１ｂから関連付けサーバ１ａへとプレーン情報コンテンツ４（ｉ）が送信されると、関連付けサーバ１ａは、プレーン情報コンテンツ４（ｉ）中に各キーワードＫＷ（１）〜（ｎ）が含まれているか否かをチェックする。なお、プレーン情報コンテンツ４（ｉ）が指定情報ＴＡを含んでいる場合には、その指定情報ＴＡが指定する部分コンテンツ４’（ｉ）中に各キーワードＫＷ（１）〜（ｎ）が含まれているか否かをチェックする。
【００３２】
プレーン情報コンテンツ４（ｉ）又は部分コンテンツ４’（ｉ）中にキーワードＫＷが含まれている場合には、その関連するリンク情報ＵＲＩを付加する。例えば、プレーン情報コンテンツ４（ｉ）又は部分コンテンツ４’（ｉ）中にキーワードＫＷ（１）が含まれている場合には、その関連するリンク情報ＵＲＩ▲１▼及びＵＲＩ▲２▼を付加する（図８（ａ）参照）。
【００３３】
なお、このようにキーワードＫＷ（１）に対応するリンク情報ＵＲＩ▲１▼▲２▼をすべて付加するものでもいし、リンク情報ＵＲＩ▲１▼▲２▼を選択的に付加するものでもよい。選択的に付加する際には、例えば、現在日付（現在日時）と各リンク情報ＵＲＩ▲１▼▲２▼に対応する日付基準ＤＳ▲１▼▲２▼とに基づいてより適切なリンク情報ＵＲＩのみを付加してもよいし、パーソナルコンピュータ２を利用するユーザのアクセスＩＤから判別するユーザレベルＵＬと各リンク情報ＵＲＩ▲１▼▲２▼に対応するユーザレベル基準ＬＳ▲１▼▲２▼とに基いてより適切なリンク情報ＵＲＩのみを付加してもよい。
【００３４】
以上、本発明の基本的な実施形態を説明した。以下、本発明のより具体的な例を実施例１〜６を用いて説明する。
【００３５】
実施例１（デパートのキャンペーン情報管理）
本実施例は、デパートのキャンペーン情報管理に本発明を適用する場合の実施例である。
【００３６】
ここで、クライアント端末を利用するのはデパートの顧客であり、サーバコンピュータ１を管理するのはデパート事業者又はデパート事業者から管理を委託された委託事業者である。またコンテンツサーバ１ｂのハードディスク１０ｂにはプレーン情報コンテンツ４（１）〜（ｍ）として当該デパートの「売り場マップ４（１）」や「売り場説明４（２）」などが記憶されている他、「紳士服売り場の平日キャンペーン情報４（ｉ）」、「紳士服売り場の休日キャンペーン情報４（ｊ）」が記憶されている。
【００３７】
一方関連付けサーバ１ａのハードディスク１０ａには関連付け情報５（１）〜（ｎ）のキーワードＫＷ（１）〜（ｎ）として「紳士服売り場ＫＷ」などと、そのリンク情報ＵＲＩとして「紳士服売り場の平日キャンペーン情報へのリンク情報ＵＲＩ（ｉ）」、「紳士服売り場の休日キャンペーン情報へのリンク情報ＵＲＩ（ｊ）」、リンク情報ＵＲＩ（ｉ）に対応する日付基準ＤＳ（ｉ）として「平日」が、リンク情報ＵＲＩ（ｊ）に対応する日付基準ＤＳ（ｊ）として「休日」がそれぞれ記憶されている。
【００３８】
そして、図５に示したように、デパートの顧客がパーソナルコンピュータ２を操作し、パーソナルコンピュータ２からの要求（１）をウェブサーバ１ｃが受信すると、コンテンツサーバ１ｂから関連付けサーバ１ａへとプレーン情報コンテンツ４（１）、すなわち本実施例では「売り場マップ４（１）」が送信される。「売り場マップ４（１）」を受信した関連付けサーバ１ａは、「売り場マップ４（１）」に含まれるキーワードＫＷ（１）〜（ｎ）、例えば、「紳士服売り場ＫＷ」に対して関連するリンク情報ＵＲＩを付加し、関連付け済み情報コンテンツ６（１）、「売り場マップ６（１）」を生成する。
【００３９】
ここで、関連付けサーバ１ａは、現在日付と日付基準ＤＳ（ｉ）、日付基準ＤＳ（ｊ）に基いて、リンク情報ＵＲＩ（ｉ）又はＵＲＩ（ｊ）を選択的に「売り場マップ４（１）」中の「紳士服売り場ＫＷ」に付加する。すなわち、現在日付が平日の場合には、その条件に合致する日付基準ＤＳ（ｉ）に対応するリンク情報ＵＲＩ（ｉ）を「売り場マップ４（１）」中の「紳士服売り場ＫＷ」に付加し、現在日付が休日の場合には、その条件に合致する日付基準ＤＳ（ｊ）に対応するリンク情報ＵＲＩ（ｊ）を「売り場マップ４（１）」中の「紳士服売り場ＫＷ」に付加する。
【００４０】
そして関連付けサーバ１ａは「売り場マップ６（１）」をウェブサーバ１ｃへ送信する。「売り場マップ６（１）」を受信したウェブサーバ１ｃは、その「売り場マップ６（１）」をパーソナルコンピュータ２へ配信（１）する。
【００４１】
この「売り場マップ６（１）」をパーソナルコンピュータ２ウェブブラウザで閲覧すると、図７（ａ）（ｂ）に示すような、ウェブページ（１）が表示される。このウェブページ（１）中の文字情報中には「紳士服売り場ＫＷ」が含まれており、その「紳士服売り場ＫＷ」はリンクされているため特別色（例えば、青色）で表示される（図中では波線で示す）。
【００４２】
ここで、顧客が平日にアクセスした場合には、この特別色で表示される「紳士服売り場ＫＷ」にポインタを合せてマウスのボタンをクリックすると、「紳士服売り場ＫＷ」にはリンク情報ＵＲＩ（ｉ）が関連付けられているため、パーソナルコンピュータ２からウェブサーバ１ｃへ新たな要求（ｉ）が送信され、キーワードＫＷに埋め込まれたＵＲＩ（ｉ）が指定する新たな関連付け済み情報コンテンツ６（ｉ）、つまり「紳士服売り場の平日キャンペーン情報６（ｉ）」がウェブサーバ１ｃからパーソナルコンピュータ２へ配信（ｉ）される（図９（ａ）参照）。
【００４３】
他方、顧客が休日にアクセスした場合には、同様にこの特別色で表示される「紳士服売り場ＫＷ」をクリックしても、「紳士服売り場ＫＷ」にはリンク情報ＵＲＩ（ｊ）が関連付けられているため、パーソナルコンピュータ２からウェブサーバ１ｃへ新たな要求（ｊ）が送信され、キーワードＫＷに埋め込まれたＵＲＩ（ｊ）が指定する新たな関連付け済み情報コンテンツ６（ｊ）、つまり「紳士服売り場の休日キャンペーン情報６（ｊ）」がウェブサーバ１ｃからパーソナルコンピュータ２へ配信（ｊ）される（図９（ｂ）参照）。
【００４４】
このように、プレーン情報コンテンツに対しアクセスがあった際、動的にリンク情報を付加して関連付け済み情報コンテンツを生成、配信するため、プレーン情報コンテンツを編集することなく、タイムリーにリンク情報を更新、変更することができる。また、プレーン情報コンテンツは、そのリンク情報を気にすることなく、編集、改変、追加することができる。
【００４０−１】追加段落
なお、本実施例では、「紳士服売り場ＫＷ」に対して単一のリンク情報ＵＲＩ（リンク情報ＵＲＩ（ｉ）又はＵＲＩ（ｊ））が関連付けられているが、複数のリンク情報ＵＲＩ（ｉ）、ＵＲＩ（ｉ＋１）、…を関連付けることもできる。この場合、「紳士服売り場ＫＷ」にポインタを合せてマウスのボタンをクリックすると、例えば、複数のリンク情報ＵＲＩ（ｉ）、ＵＲＩ（ｉ＋１）がプルダウンメニューで表示され、顧客がさらにそれらの中から一を選択し、その選択されたリンク情報ＵＲＩに基いて、新たな要求が送信されるように構成することもできる。
【００４５】
実施例２（デパートのキャンペーン情報管理）
本実施例は、デパートのキャンペーン情報管理に本発明を適用する場合の他の実施例である。
【００４６】
ここで、クライアント端末を利用するのはデパートの顧客であり、一般顧客と上得意顧客にはそれぞれ異なるアクセスＩＤとパスワードＰＷＤが付与されている。サーバコンピュータ１を管理するのはデパート事業者又はデパート事業者から管理を委託された委託事業者である。またコンテンツサーバ１ｂのハードディスク１０ｂにはプレーン情報コンテンツ４（１）〜（ｍ）として当該デパートの「売り場マップ４（１）」や「売り場説明４（２）」などが記憶されている他、「一般顧客用キャンペーン情報４（ｉ）」、「上得意顧客用キャンペーン情報４（ｊ）」が記憶されている。
【００４７】
一方関連付けサーバ１ａのハードディスク１０ａには関連付け情報５（１）〜（ｎ）のキーワードＫＷ（１）〜（ｎ）として「紳士服売り場ＫＷ」などと、そのリンク情報ＵＲＩとして「一般顧客用キャンペーン情報へのリンク情報ＵＲＩ（ｉ）」、「上得意顧客用キャンペーン情報ャンペーン情報へのリンク情報ＵＲＩ（ｉ）」、リンク情報ＵＲＩ（ｉ）に対応するユーザレベル基準ＬＳ（ｉ）として「すべて」が、リンク情報ＵＲＩ（ｊ）に対応するユーザレベル基準ＬＳ（ｊ）として「上得意」がそれぞれ記憶されている。
【００４８】
そして、図５に示したように、デパートの顧客がそれぞれ付与されているアクセスＩＤとパスワードＰＷＤとを用いてパーソナルコンピュータ２を操作し、パーソナルコンピュータ２からの要求（１）をウェブサーバ１ｃが受信すると、コンテンツサーバ１ｂから関連付けサーバ１ａへとプレーン情報コンテンツ４（１）、すなわち本実施例では「売り場マップ４（１）」が送信される。「売り場マップ４（１）」を受信した関連付けサーバ１ａは、「売り場マップ４（１）」に含まれるキーワードＫＷ（１）〜（ｎ）、例えば、「紳士服売り場ＫＷ」に対して関連するリンク情報ＵＲＩを付加し、関連付け済み情報コンテンツ６（１）、「売り場マップ６（１）」を生成する。
【００４９】
ここで、関連付けサーバ１ａは、顧客のアクセスＩＤとユーザレベル基準ＬＳ（ｉ）、ユーザレベル基準ＬＳ（ｊ）に基いて、リンク情報ＵＲＩ（ｉ）及び／又はＵＲＩ（ｊ）を選択的に「売り場マップ４（１）」中の「紳士服売り場ＫＷ」に付加する。すなわち、顧客のアクセスＩＤがユーザレベル基準ＬＳ（ｉ）、ＬＳ（ｊ）を満足する場合には、その条件に合致するユーザレベル基準ＬＳ（ｉ）、ＬＳ（ｊ）に対応するリンク情報ＵＲＩ（ｉ）及びＵＲＩ（ｊ）の両方を「売り場マップ４（１）」中の「紳士服売り場ＫＷ」に付加し、顧客のアクセスＩＤがユーザレベル基準ＬＳ（ｉ）のみを満足する場合には、その条件に合致するユーザレベル基準ＬＳ（ｉ）に対応するリンク情報ＵＲＩ（ｉ）のみを「売り場マップ４（１）」中の「紳士服売り場ＫＷ」に付加する。
【００５０】
そして関連付けサーバ１ａは「売り場マップ６（１）」をウェブサーバ１ｃへ送信する。「売り場マップ６（１）」を受信したウェブサーバ１ｃは、その「売り場マップ６（１）」をパーソナルコンピュータ２へ配信（１）する。
【００５１】
この「売り場マップ６（１）」をパーソナルコンピュータ２ウェブブラウザで閲覧すると、ウェブページ（１）が表示される。このウェブページ（１）中の文字情報中には「紳士服売り場ＫＷ」が含まれており、その「紳士服売り場ＫＷ」はリンクされているため特別色（例えば、青色）で表示される。
【００５２】
ここで、顧客が一般の顧客（非上得意顧客）の場合には、この特別色で表示される「紳士服売り場ＫＷ」をこの顧客がクリックすると、「紳士服売り場ＫＷ」にはリンク情報ＵＲＩ（ｉ）のみが関連付けられているため、パーソナルコンピュータ２からウェブサーバ１ｃへ新たな要求（ｉ）が送信され、キーワードＫＷに埋め込まれたＵＲＩ（ｉ）が指定する新たな関連付け済み情報コンテンツ６（ｉ）、つまり「一般顧客用キャンペーン情報６（ｉ）」がウェブサーバ１ｃからパーソナルコンピュータ２へ配信（ｉ）される。
【００５３】
他方、顧客が上得意顧客の場合には、この特別色で表示される「紳士服売り場ＫＷ」をこの顧客がクリックすると、「紳士服売り場ＫＷ」にはリンク情報ＵＲＩ（ｉ）及びＵＲＩ（ｊ）が関連付けられているため、パーソナルコンピュータ２からウェブサーバ１ｃへ新たな要求（ｉ）（ｊ）が送信され、キーワードＫＷに埋め込まれたＵＲＩ（ｉ）、ＵＲＩ（ｊ）が指定する新たな関連付け済み情報コンテンツ６（ｉ）、６（ｊ）、つまり「一般顧客用キャンペーン情報６（ｉ）」及び「上得意顧客用キャンペーン情報６（ｊ）」が両方ともウェブサーバ１ｃからパーソナルコンピュータ２へ配信（ｊ）される。
【００５４】
このように、顧客の属性に基いて、より適切な情報を容易に提供することができる。
【００５５】
実施例３（企業内のナレッジマネジメント）
本実施例は、企業内のナレッジマネジメントに本発明を適用する場合の他の実施例である。
【００５６】
ここで、クライアント端末を利用するのは企業のメンバーであり、一般メンバーと特定メンバーにはそれぞれ異なるアクセスＩＤとパスワードＰＷＤが付与されている。サーバコンピュータ１を管理するのは企業又は企業から管理を委託された委託事業者である。またコンテンツサーバ１ｂのハードディスク１０ｂにはプレーン情報コンテンツ４（１）〜（ｍ）として当該企業の「総合経営データ４（１）」などが記憶されている他、「一般メンバー用詳細経営データ４（ｉ）」、「特定メンバー用詳細経営データ４（ｊ）」が記憶されている。
【００５７】
一方関連付けサーバ１ａのハードディスク１０ａには関連付け情報５（１）〜（ｎ）のキーワードＫＷ（１）〜（ｎ）として例えば、「詳細経営データＫＷ」と、そのリンク情報ＵＲＩとして「一般メンバー用詳細経営データへのリンク情報ＵＲＩ（ｉ）」、「特定メンバー用詳細経営データへのリンク情報ＵＲＩ（ｊ）」、リンク情報ＵＲＩ（ｉ）に対応するユーザレベル基準ＬＳ（ｉ）として「一般」が、リンク情報ＵＲＩ（ｊ）に対応するユーザレベル基準ＬＳ（ｊ）として「特定」がそれぞれ記憶されている。
【００５８】
そして、図２に示したように、企業のメンバーがそれぞれ付与されているアクセスＩＤとパスワードＰＷＤとを用いてパーソナルコンピュータ２を操作し、パーソナルコンピュータ２からの要求（１）をウェブサーバ１ｃが受信すると、コンテンツサーバ１ｂから関連付けサーバ１ａへとプレーン情報コンテンツ４（１）、すなわち本実施例では「総合経営データ４（１）」が送信される。「総合経営データ４（１）」を受信した関連付けサーバ１ａは、「総合経営データ４（１）」に含まれるキーワードＫＷ（１）〜（ｎ）、例えば、「詳細経営データＫＷ」に対して関連するリンク情報ＵＲＩを付加し、関連付け済み情報コンテンツ６（１）、「総合経営データ６（１）」を生成する。
【００５９】
ここで、関連付けサーバ１ａは、メンバーのアクセスＩＤとユーザレベル基準ＬＳ（ｉ）、ユーザレベル基準ＬＳ（ｊ）に基いて、リンク情報ＵＲＩ（ｉ）又はＵＲＩ（ｊ）を選択的に「総合経営データ４（１）」中の「詳細経営データＫＷ」に付加する。すなわち、メンバーのアクセスＩＤがユーザレベル基準ＬＳ（ｊ）を満足する場合には、その条件に合致するユーザレベル基準ＬＳ（ｊ）に対応するリンク情報ＵＲＩ（ｊ）を「総合経営データ４（１）」中の「詳細経営データＫＷ」に付加し、メンバーのアクセスＩＤがユーザレベル基準ＬＳ（ｉ）を満足する場合には、その条件に合致するユーザレベル基準ＬＳ（ｉ）に対応するリンク情報ＵＲＩ（ｉ）を「総合経営データ４（１）」中の「詳細経営データＫＷ」に付加する。
【００６０】
そして関連付けサーバ１ａは「総合経営データ６（１）」をウェブサーバ１ｃへ送信する。「総合経営データ６（１）」を受信したウェブサーバ１ｃは、その「総合経営データ６（１）」をパーソナルコンピュータ２へ配信（１）する。
【００６１】
この「総合経営データ６（１）」をパーソナルコンピュータ２ウェブブラウザで閲覧すると、図９（ａ）（ｂ）に示すようなウェブページ（１）が表示される。このウェブページ（１）中の文字情報中には「詳細経営データＫＷ」が含まれており、その「詳細経営データＫＷ」はリンクされているため特別色（例えば、青色）で表示される（図中では波線で示す）。
【００６２】
ここで、メンバーが一般メンバーの場合には、この特別色で表示される「詳細経営データＫＷ」をクリックすると、「詳細経営データＫＷ」にはリンク情報ＵＲＩ（ｉ）が関連付けられているため、パーソナルコンピュータ２からウェブサーバ１ｃへ新たな要求（ｉ）が送信され、キーワードＫＷに埋め込まれたＵＲＩ（ｉ）が指定する新たな関連付け済み情報コンテンツ６（ｉ）、つまり「一般メンバー用詳細経営データ６（ｉ）」が同様にしてウェブサーバ１ｃからパーソナルコンピュータ２へ配信（ｉ）される（図６（ａ）参照）。
【００６３】
他方、メンバーが特定メンバーの場合には、この特別色で表示される「詳細経営データＫＷ」をパーソナルコンピュータ２のユーザがポインタでクリックすると、「詳細経営データＫＷ」にはリンク情報ＵＲＩ（ｊ）が関連付けられているため、パーソナルコンピュータ２からウェブサーバ１ｃへ新たな要求（ｊ）が送信され、キーワードＫＷに埋め込まれたＵＲＩ（ｊ）が指定する新たな関連付け済み情報コンテンツ６（ｊ）、つまり「特定メンバー用詳細経営データ６（ｊ）」が同様にしてウェブサーバ１ｃからパーソナルコンピュータ２へ配信（ｊ）される（図６（ｂ）参照）。
【００６４】
このように、メンバーの属性に基いて、より適切な情報管理を容易に提供することができる。
【００６２−１】追加段落
なお、関連付けサーバ１ａは、一定期間（例えば、三ヶ月）利用されなかったリンク情報ＵＲＩは、そのキーワードＫＷからの関連付けを解除することもできる。また、各ユーザ毎のアクセスを解析することができ、例えば、一般メンバーや特定メンバーが関心のある分野を判断することもできる。
【００６５】
実施例４（演劇興行の情報管理）
本実施例は、演劇興行の情報管理に本発明を適用する場合の実施例である。
【００６６】
ここで、クライアント端末を利用するのは（潜在的な）演劇の観客であり、サーバコンピュータ１を管理するのは演劇興行事業者又は演劇興行事業者から管理を委託された委託事業者である。またコンテンツサーバ１ｂのハードディスク１０ｂにはプレーン情報コンテンツ４（１）〜（ｍ）として当該演劇興行の「イベントカレンダー４（１）」、「演劇情報４（２）」、「役者の挨拶４（３）」などが記憶されている。
【００６７】
一方関連付けサーバ１ａのハードディスク１０ａには関連付け情報５（１）〜（ｎ）のキーワードＫＷとして「日程ＫＷ（２）」や「役者名ＫＷ（３）」などが、リンク情報ＵＲＩとして「演劇情報へのリンク情報ＵＲＩ（２）」、「役者の挨拶へのリンク情報ＵＲＩ（３）」がそれぞれ記憶されている。
【００６８】
そして、図５に示したように、（潜在的な）演劇の観客がパーソナルコンピュータ２を操作し、パーソナルコンピュータ２からの要求（１）をウェブサーバ１ｃが受信すると、コンテンツサーバ１ｂから関連付けサーバ１ａへとプレーン情報コンテンツ４（１）、すなわち本実施例では「イベントカレンダー４（１）」が送信される。「イベントカレンダー４（１）」を受信した関連付けサーバ１ａは、「イベントカレンダー４（１）」に含まれるキーワードＫＷ（１）〜（ｎ）、例えば、「（特定の）日程ＫＷ（２）」に対して関連するリンク情報ＵＲＩ（２）を付加し、関連付け済み情報コンテンツ６、ここでは「イベントカレンダー６（１）」を生成する。
【００６９】
そして関連付けサーバ１ａは「イベントカレンダー６（１）」をウェブサーバ１ｃへ送信する。「イベントカレンダー６（１）」を受信したウェブサーバ１ｃは、その「イベントカレンダー６（１）」をパーソナルコンピュータ２へ配信（１）する。
【００７０】
この「イベントカレンダー６（１）」をパーソナルコンピュータ２ウェブブラウザで閲覧すると、図６（ａ）（ｂ）に示すような、ウェブページ（１）が表示される。このウェブページ（１）中の文字情報中には「（特定の）日程ＫＷ（２）」が含まれており、その「（特定の）日程ＫＷ（２）」はリンクされているため特別色（例えば、青色）で表示される（図中では波線で示す）。
【００７１】
この特別色で表示される「（特定の）日程ＫＷ（２）」をパーソナルコンピュータ２のユーザがポインタでクリックすると、「（特定の）日程ＫＷ（２）」にはリンク情報ＵＲＩ（２）が関連付けられているため、パーソナルコンピュータ２からウェブサーバ１ｃへ新たな要求（２）が送信され、キーワードＫＷ（２）に埋め込まれたＵＲＩ（２）が指定する新たな関連付け済み情報コンテンツ６（２）、つまり「演劇情報６（２）」が同様にしてウェブサーバ１ｃからパーソナルコンピュータ２へ配信（２）される。
【００７２】
この際も同様に、パーソナルコンピュータ２からの要求（２）をウェブサーバ１ｃが受信すると、コンテンツサーバ１ｂから関連付けサーバ１ａへとプレーン情報コンテンツ４（２）、すなわち「演劇情報４（２）」が送信される。「演劇情報４（２）」を受信した関連付けサーバ１ａは、「演劇情報４（２）」に含まれるキーワードＫＷ（１）〜（ｎ）、例えば、「（特定の）役者名ＫＷ（３）」に対して関連するリンク情報ＵＲＩ（３）を付加し、関連付け済み情報コンテンツ６、ここでは「演劇情報６（２）」を生成する。
【００７３】
そして関連付けサーバ１ａは「演劇情報６（２）」をウェブサーバ１ｃへ送信する。「演劇情報６（２）」を受信したウェブサーバ１ｃは、その「演劇情報６（２）」をパーソナルコンピュータ２へ配信（１）する。
【００７４】
この「演劇情報６（２）」をパーソナルコンピュータ２ウェブブラウザで閲覧すると、ウェブページ（２）が表示される。このウェブページ（２）中の文字情報中には「（特定の）役者名ＫＷ（３）」が含まれており、その「（特定の）役者名ＫＷ（３）」はリンクされているため特別色（例えば、青色）で表示される。
【００７５】
この特別色で表示される「（特定の）役者名ＫＷ（３）」をパーソナルコンピュータ２のユーザがポインタでクリックすると、「（特定の）役者名ＫＷ（３）にはリンク情報ＵＲＩ（３）が関連付けられているため、パーソナルコンピュータ２からウェブサーバ１ｃへ新たな要求（３）が送信され、キーワードＫＷ（３）に埋め込まれたＵＲＩ（３）が指定する新たな関連付け済み情報コンテンツ６（３）、つまり「役者の挨拶４（３）」が同様にしてウェブサーバ１ｃからパーソナルコンピュータ２へ配信（３）される。以下、同様である。
【００７６】
このように、プレーン情報コンテンツとリンク情報とを別個独立に管理しているため、演目の変更、役者の変更など様々な変更に対して容易に対応することがえできる。
【００７７】
実施例５（商品カタログ情報管理）
本実施例は、商品カタログの情報管理に本発明を適用する場合の実施例である。
【００７８】
ここで、クライアント端末を利用するのは商品の購入者や潜在的な顧客であり、サーバコンピュータ１を管理するのは商品メーカ又は商品メーカから管理を委託された委託事業者である。またコンテンツサーバ１ｂのハードディスク１０ｂにはプレーン情報コンテンツ４（１）〜（ｍ）として商品の「総合カタログ４（１）」、「個別カタログ４（２）」などが記憶されている。
【００７９】
一方関連付けサーバ１ａのハードディスク１０ａには関連付け情報５（１）〜（ｎ）のキーワードＫＷとして「商品名ＫＷ（２）」などが、リンク情報ＵＲＩとして「商品へのリンク情報ＵＲＩ（２）」がそれぞれ記憶されている。
【００８０】
そして、商品の購入者は、パーソナルコンピュータ２を操作し、パーソナルコンピュータ２からの編集要求をウェブサーバ１ｃが受信すると、一定の条件でコンテンツサーバ１ｂはプレーン情報コンテンツ４の追加を許す。そして、この商品の購入者が記載したある商品（商品名ＫＷ（２））の「感想４（ｍ＋１）」は、新たなプレーン情報コンテンツ４（ｍ＋１）としてコンテンツサーバ１ｂのハードディスク１０ｂに記憶される。そして、商品メーカ又は商品メーカから管理を委託された委託事業者は、関連付け情報５（１）〜（ｎ）の「商品名ＫＷ（２）」に対応するリンク情報ＵＲＩとして、「感想４（ｍ＋１）」へのリンク情報ＵＲＩ（ｍ＋１）を追加する。
【００８１】
その後、図５に示したように、潜在的な顧客がパーソナルコンピュータ２を操作し、パーソナルコンピュータ２からの要求（１）をウェブサーバ１ｃが受信すると、コンテンツサーバ１ｂから関連付けサーバ１ａへとプレーン情報コンテンツ４（１）、すなわち本実施例では「総合カタログ４（１）」が送信される。「総合カタログ４（１）」を受信した関連付けサーバ１ａは、「総合カタログ４（１）」に含まれるキーワードＫＷ（１）〜（ｎ）、例えば、「商品名ＫＷ（２）」に対して関連するリンク情報ＵＲＩ（２）及びリンク情報ＵＲＩ（ｍ＋１）を付加し、関連付け済み情報コンテンツ６、ここでは「総合カタログ６（１）」を生成する。
【００８２】
そして関連付けサーバ１ａは「総合カタログ６（１）」をウェブサーバ１ｃへ送信する。「総合カタログ６（１）」を受信したウェブサーバ１ｃは、その「総合カタログ６（１）」をパーソナルコンピュータ２へ配信（１）する。
【００８３】
この「総合カタログ６（１）」をパーソナルコンピュータ２のウェブブラウザで閲覧すると、図４（ａ）（ｂ）に示すような、ウェブページ（１）が表示される。このウェブページ（１）中の文字情報中には「商品名ＫＷ（２）」が含まれており、その「商品名ＫＷ（２）」はリンクされているため特別色（例えば、青色）で表示される（図中では波線で示す）。
【００８４】
この特別色で表示される「商品名ＫＷ（２）」を潜在的な顧客がクリックすると、「商品名ＫＷ（２）」にはリンク情報ＵＲＩ（２）及びリンク情報ＵＲＩ（ｍ＋１）が関連付けられているため、パーソナルコンピュータ２からウェブサーバ１ｃへ新たな要求（２）が送信され、キーワードＫＷ（２）に埋め込まれたＵＲＩ（２）、ＵＲＩ（ｍ＋１）が指定する新たな関連付け済み情報コンテンツ６（２）、６（ｍ＋１）つまり「個別カタログ６（２）」と「感想６（ｍ＋１）」が同様にしてウェブサーバ１ｃからパーソナルコンピュータ２へ配信（２）される。
【００８５】
このように、プレーン情報コンテンツをユーザが追加することができ、ある商品に興味を持ったユーザが、その商品のカタログのみならず、その商品を実際に使用したことのある他のユーザの感想にも容易にアクセスすることができる。
【００８６】
実施例６（Ｑ＆Ａデータベース情報管理）
本実施例は、Ｑ＆Ａデータベース情報管理に本発明を適用する場合の他の実施例である。
【００８７】
ここで、クライアント端末を利用するのは日用品の一般消費者及びモニタ消費者であり、一般消費者及びモニタ消費者にはそれぞれ異なるアクセスＩＤとパスワードＰＷＤが付与されている。サーバコンピュータ１を管理するのは商品メーカのユーザサポート部門または商品メーカのユーザサポート部門から管理を委託された委託事業者である。また、コンテンツサーバ１ｂのハードディスク１０ｂにはプレーン情報コンテンツ４（１）〜（ｍ）として当該日用品の「消費者用Ｑ＆Ａデータ４」が記憶されている。
【００８８】
一方、関連付けサーバ１ａのハードディスク１０ａには、例えば、関連付け情報５（１）〜（ｎ）に対し、ナビゲータワードＮＷ（１）〜（ｎ）、ナビゲータワードＮＷ（ｋ）に直接対応するキーワードＫＷ（１）〜（ｍ）として「キーワードＫＷ」、ナビゲータワードＮＷ（ｋ）のリンク情報として「一般消費者へのリンク情報ＵＲＩ（ｉ）」と「モニタ消費者へのリンク情報ＵＲＩ（ｊ）」があり、かつ、リンク情報ＵＲＩ（ｉ）に対応するユーザレベル基準ＬＳ（ｉ）として「一般消費者」、及び、リンク情報ＵＲＩ（ｊ）に対応するユーザレベル基準ＬＳ（ｊ）として「モニタ消費者」がそれぞれ記憶されている。
【００８９】
図６に示したように、一般消費者やモニタ消費者がそれぞれ付与されているアクセスＩＤとパスワードＰＷＤとを用いてパーソナルコンピュータ２を操作し、パーソナルコンピュータ２からの要求（１）をウェブサーバ１ｃが受信すると、コンテンツサーバ１ｂから関連付けサーバ１ａへとプレーン情報コンテンツ４、即ち本実施例では「消費者用Ｑ＆Ａデータ４（１）」が送信される。「消費者用Ｑ＆Ａデータ４（１）」を受信した関連付けサーバ１ａは、「消費者用Ｑ＆Ａデータ４（１）」中に、「ナビゲータワードＮＷ」に直接対応する「キーワードＫＷ」が含まれる場合、「ナビゲータワードＮＷ」で規定した「情報リンクＵＲＩ」をそのキーワードＫＷに付加し、関連付け済み情報コンテンツ６（１）、即ち、「消費者用Ｑ＆Ａデータ６（１）」を生成する。
【００９０】
ここで、関連付けサーバ１ａは、各アクセスＩＤとユーザレベル基準ＬＳ（ｉ）またはＬＳ（ｊ）に基づいて、リンク情報ＵＲＩ（ｉ）またはＵＲＩ（ｊ）を選択的に、「消費者用Ｑ＆Ａデータ４（１）」内の「キーワードＫＷ」に付加する。すなわち、アクセスＩＤがユーザレベル基準ＬＳ（ｉ）を充たす場合には、その条件に合致するユーザレベル基準ＬＳ（ｉ）に対応するリンク情報ＵＲＩ（ｉ）を「消費者用Ｑ＆Ａデータ４（１）」に付加し、アクセスＩＤがユーザレベル基準ＬＳ（ｊ）を充たす場合には、その条件に合致するユーザレベル基準ＬＳ（ｊ）に対応するリンク情報ＵＲＩ（ｊ）を「消費者用Ｑ＆Ａデータ４（１）」に付加する。
【００９１】
そして、関連付けサーバ１ａは「消費者用Ｑ＆Ａデータ６（１）」をウェブサーバ１ｃへ送信する。「消費者用Ｑ＆Ａデータ６（１）」を受信したウェブサーバ１ｃは、その「消費者用Ｑ＆Ａデータ６（１）」をパーソナルコンピュータ２へ配信（１）する。
【００９２】
この「消費者用Ｑ＆Ａデータ６（１）」をパーソナルコンピュータ２ウェブブラウザで閲覧すると、図９（ａ），（ｂ）に示すようなウェブページ（１）が表示される。このウェブページ（１）中の文字情報中に、リンク情報で関連付けられた「キーワードＫＷ」が含まれている場合には、その「キーワードＫＷ」は特別色（例えば青色）で表示される（図中では破線で示す）。ウェブページ（１）中の文字情報中に、リンク情報で関連付けられた「キーワードＫＷ」が含まれていない場合には、その「キーワードＫＷ」は通常文字と同じ表示であり、何ら区別できない。
【００９３】
ここで、アクセスしているのが一般消費者の場合、この特別色で表示される「キーワードＫＷ」をクリックすると、パーソナルコンピュータ２からウェブサーバ１ｃに対し、「キーワードＫＷ」に「ナビゲータワードＮＷ」を経由して関連付けられたリンク情報ＵＲＩ（ｉ）の送信を要求（ｉ）する（図９（ａ）参照）。
【００９４】
アクセスしているのがモニタ消費者の場合、この特別色で表示される「キーワードＫＷ」をクリックすると、パーソナルコンピュータ２からウェブサーバ１ｃに対し、「キーワードＫＷ」に「ナビゲータワードＮＷ」を経由して関連付けられたリンク情報ＵＲＩ（ｊ）の送信を要求（ｊ）する（図９（ｂ）参照）。
【００９５】
このように、アクセスしているのが一般消費者かモニタ消費者かにより、より適切な関連情報を容易に提供することができる。
【００９６】
このように、ナビゲータワードＮＷを介して、キーワードＫＷとリンク情報とを関連付ける技術は、複数の複数のキーワードＫＷに共通のリンク情報ＵＲＩを関連付ける場合などに、それらを一括して管理する上で特に有効である。
【００９７】
図１０（ａ）は、「洗剤」カテゴリーの新製品として、製品名「○○クリーン」を２００２年４月に市場投入する場合の関連付け情報５（ｋ）を示している。ここでは、ナビゲータワードＮＷとして「新製品」を、キーワードＫＷとして「新製品」、「新発売」、「新商品」、「洗剤」を、リンク情報ＵＲＩとして（○○クリーンを説明しているウェブページのＵＲＩ）を、日付基準ＤＳとして「２００２年４月から同年７月まで」を、その日付基準ＤＬに対応するユーザレベル基準ＬＳとして「一般消費者」を、日付基準ＤＳとして「２００２年１月から同年７月まで」を、その日付基準ＤＳに対応するユーザレベル基準ＬＳとして「モニター消費者」をそれぞれ記憶している。
【００９８】
ここで、関連付け情報５のキーワードＫＷとして「新製品」のみならず、その同意語（「新発売」、「新商品」）及びそのカテゴリー（「洗剤」）まで記憶しているため、プレーン情報コンテンツ４中に「新製品」、「新発売」、「新商品」、「洗剤」のいずれかの語句が含まれる場合には○○クリーンを説明するウェブページのＵＲＩを付加して関連付け済み情報コンテンツ６を生成することができる。また、ユーザレベル基準に応じた日付基準を記憶しているため、一般消費者に対しては○○クリーンが市場投入された後である２００２年４月以降に○○クリーンを説明するウェブページのＵＲＩを付加する一方、モニター消費者に対しては市場投入に先立って２００２年１月から○○クリーンを説明するウェブページのＵＲＩを付加することができる。さらに、市場投入から３ヶ月経過後の２００２年７月以降は、自動的にリンクが外される。
【００９９】
しかも、ナビゲータワードＮＷの関連付けを変えるだけで、簡単にさまざまの新製品の種類に対応できる。図１０（ｂ）は、「洗剤」カテゴリーの新製品として、新たに製品名「○○ソフト」を２００２年９月に市場投入する場合の関連付け情報５’（ｋ）を示している。ここでは、図１０（ａ）に示した関連付け情報５（ｋ）に対し、リンク情報ＵＲＩとして（○○ソフトを説明しているウェブページのＵＲＩ）を、日付基準ＤＳとして「２００２年９月から同年１２月まで」を、その日付基準ＤＬに対応するユーザレベル基準ＬＳとして「一般消費者」を、日付基準ＤＳとして「２００２年６月から同年１２月まで」を、その日付基準ＤＳに対応するユーザレベル基準ＬＳとして「モニター消費者」をそれぞれ追加記憶している。
【０１００】
ここで、一般消費者に対しては２００２年４月から７月までは○○クリーンを説明するウェブページのＵＲＩを付加し、２００２年９月から１２月までは○○ソフトを説明するウェブページのＵＲＩを付加する。一方、モニター消費者に対しては２００２年４月から６月までは○○クリーンを説明するウェブページのＵＲＩのみを付加し、２００２年６月から７月までは○○クリーンを説明するウェブページのＵＲＩと○○ソフトを説明するウェブページのＵＲＩとの両方を付加し、２００２年７月から１２月までは○○ソフトを説明するウェブページのＵＲＩのみを付加する。
【０１０１】
さらに、Ｑ＆Ａの「質問」や「回答」に追加すべき点を発見したモニタ消費者は、それらの情報を新たにデータベースに追加することができる。モニタ消費者のパーソナルコンピュータ２からの編集要求をウェブサーバ１ｃが受信すると、そのＩＤを確認した後、コンテンツサーバ１ｂは、プレーン情報コンテンツ４への追加を許す。このモニタ消費者が記載したあるモニタ意見は、「モニタ意見データ４（ｍ＋１）」として、既存の「消費者Ｑ＆Ａデータ４」とは別に、コンテンツサーバ１ｂのハードディスク１０ｂにそのＵＲＩとデータが追加記憶される。商品メーカのユーザサポート部門または商品メーカのユーザサポート部門から管理を委託された委託事業者は、関連情報５（１）〜（ｎ）の「ナビゲータワードＮＷ」に対応するリンク情報ＵＲＩとして、「モニタ意見データ４（ｍ＋１）」へのリンク情報ＵＲＩ（ｍ＋１）を追加する。
【０１０２】
以降、一般消費者は、Ｑ＆Ａ文中の「キーワードＫＷ」のリンクを通じて「モニタ意見」の参照が可能となるし、モニタ意見内の「キーワードＫＷ」のリンクを通じて、他関連情報へのアクセスが可能となる。
【０１０３】
このように、プレーン情報コンテンツをモニタ消費者が追加することができ、継続的に使用することで順次成長するＱ＆Ａデータベースを容易に構築することができる。しかも、情報リンクを多用することで、Ｑ＆Ａの規模を適正に保ちつつ、多くの情報を提供することが可能となる。
【０１０４】
なお、本実施例では、他実施例と同様に、リンク情報ＵＲＩが指定するウェブコンテンツが、コンテンツサーバ１ｂが記憶しているウェブコンテンツではなく、第三者の管理する外部コンテンツサーバ１ｄが記憶しているウェブコンテンツの場合であっても良い。
【０１０５】
【発明の効果】
以上詳細に説明したように、本発明によれば、情報コンテンツのリンクをより簡易に行うことができる電子計算機を提供することができる。
【図面の簡単な説明】
【図１】図１は、本発明の基本的な概要を説明するものである。
【図２】図２は、特定情報と関連情報との関係を説明するものである。
【図３】図３は、本発明の他の基本的な概要を説明するものである。
【図４】図４は、特定情報、関連情報、仲介語句の関係を説明するものである。
【図５】図５は、本発明の実施態様を説明する概念図である。
【図６】図６は、本発明の実施態様の基本的な構成及び動作を説明するものである。
【図７】図７は、本発明の実施態様の連続的な動作を説明するものである。
【図８】図８は、各サーバの記憶内容を説明するものである。
【図９】図９は、クライアント端末に表示されるウェブページを説明するものである。
【図１０】図１０は、実施例６の関連情報を詳細に説明するものである。
【図１１】図１１は、従来の情報コンテンツの問題を説明するものである。
【符号の説明】
１…サーバコンピュータ（電子計算機）、１ｃ…ウェブサーバ（電子計算機、受信手段、送信手段）、１ａ…関連付けサーバ（電子計算機、処理手段）、１０ａ…ハードディスク（記憶手段）、１ｂ…コンテンツサーバ（電子計算機、編集手段）、１０ｂ…ハードディスク（記憶手段）、１ｄ…外部コンテンツサーバ、３…インタネット（情報通信ネットワーク）、４…プレーン情報コンテンツ（第一の情報コンテンツ）、５…関連付け情報、ＫＷ…キーワード（特定情報）、ＮＷ…ナビゲータワード（仲介語句）、ＵＲＩ…リンク情報（関連情報）、ＤＳ…日付基準（日時基準）、ＬＳ…ユーザレベル基準、６…関連付け済み情報コンテンツ（第二の情報コンテンツ）
【図１】
2004021839.tif 000003
【図２】
2004021839.tif 000004
【図３】
2004021839.tif 000005
【図４】
2004021839.tif 000006
【図５】
2004021839.tif 000007
【図６】
2004021839.tif 000008
【図７】
2004021839.tif 000009
【図８】
2004021839.tif 000010
【図９】
2004021839.tif 000011
【図１０】
2004021839.tif 000012
【図１１】
2004021839.tif 000013